(57)【要約】映写機に使用されるフィルムトラップおよびゲートアセンブリー（２４）。フィルムラップ（２６）はイメージアパーチャ（６０）と、第１および第２トラップレールアセンブリー（６４Ａ，６４Ｂ）を含む。フィルムトラップは更に取り付けフランジ（９２）に取り付けられた角度のあるストリッパーブレード（９４）を有するストリッパープレート（７２）を含む。ストリッパーブレードは少なくとも１度の角度で取り付けられ、好ましくはトラップ本体（５８）に向かってバイアスされる。フィルムゲート（２８）は映写アパーチャ（５４）と、第１および第２ゲートレールアセンブリー（１０４Ａ，１０４Ｂ）を含む。フィルムテンショニングアセンブリー（１１０）がゲート本体に取り付けられ、フィルムテンショニング装置は変形可能な本体（１１２）を持ち、少なくとも２つのテンショニングローラー（１１８，１２０）と、調整可能なテンショニング装置とを持つ。組み立てると、フィルムトラップおよびゲートアセンブリーは光源（３０）の前でフィルム（１４）を案内するフィルム移動チャネルを形成し、フィルム（１４）とフィルムトラップおよびゲートアセンブリー（２４）との間の接触を減らす。結果として、フィルムが上映される回数が増える。
2004526211.tif 000002
【特許請求の範囲】
【請求項１】
第１部材と第２部材とで形成されるフィルム移動チャネルを具え、
該フィルム移動チャネルの厚さをｔおよび幅をｗとするとき、ｔが映画フィルムの厚さより大で、ｗが前記映画フィルムの幅より大であり、
ｗがｔより大であり、
フィルムが前記フィルム移動チャネル内に配置されて通過する、
映写機用のフィルムトラップおよびゲートアセンブリー。
【請求項２】
前記第１部材は第１および第２フィルムトラップレールアセンブリーを含む請求項１の装置。
【請求項３】
前記第１フィルムトラップレールアセンブリーは第１トラップガイドと繋がる第１トラップレールを含み、前記第２フィルムトラップレールアセンブリーは第２トラップガイドと繋がる第２トラップレールを含む請求項２の装置。
【請求項４】
前記第１トラップレールアセンブリーは分離可能な第１トラップガイドと繋がる分離可能な第１トラップレールを含む請求項３の装置。
【請求項５】
前記第１トラップレールアセンブリーは第１トラップガイドと一体の第１トラップレールを含む請求項３の装置。
【請求項６】
前記第２トラップレールアセンブリーは分離可能な第２トラップガイドと繋がる分離可能な第２トラップレールを含む請求項３の装置。
【請求項７】
第２部材は第１および第２フィルムゲートレールアセンブリーを含む請求項１の装置。
【請求項８】
前記第１フィルムゲートレールアセンブリーは第１ゲートガイドと繋がる第１ゲートレールを含み、前記第２フィルムゲートレールアセンブリーは第２ゲートガイドと繋がる第２フィルムゲートレールを含む請求項７の装置。
【請求項９】
前記第１ゲートレールアセンブリーは分離可能な第１ゲートガイドと繋がる分離可能な第１ゲートレールを含む請求項８の装置。
【請求項１０】
前記第１ゲートレールアセンブリーは第１ゲートガイドと一体の第１ゲートレールを含む請求項８の装置。
【請求項１１】
前記第２ゲートレールアセンブリーは分離可能な第２ゲートガイドと繋がる分離可能な第２ゲートレールを含む請求項８の装置。
【請求項１２】
イメージアパーチャが形成されるとともに、第１および第２レールアセンブリーが取り付けられているトラップ本体を具え、
前記第１レールアセンブリーが第１トラップガイドと繋がる第１トラップレールを含み、
前記第２レールアセンブリーが第２トラップガイドと繋がる第２トラップレールを含む、
映写機用のフィルムトラップアセンブリー。
【請求項１３】
前記第１レールアセンブリーは分離可能な第１トラップガイドと繋がる分離可能な第１トラップレールを含む請求項１２の装置。
【請求項１４】
前記第１レールアセンブリーは第１トラップガイドと一体の第１トラップレールを含む請求項１２の装置。
【請求項１５】
前記第２レールアセンブリーは分離可能な第２トラップガイドと繋がる分離可能な第２トラップレールを含む請求項１２の装置。
【請求項１６】
前記第２レールアセンブリーは第２トラップガイドと一体の第２トラップレールを含む請求項１２の装置。
【請求項１７】
更に前記トラップ本体に取り付けられたストリッパープレートを具えた請求項１２の装置。
【請求項１８】
前記ストリッパープレートは取り付けフランジと繋がる角度のあるストリッパーブレードを含む請求項１７の装置。
【請求項１９】
前記角度のあるブレードは、少なくとも１度の角度がある請求項１８の装置。
【請求項２０】
イメージアパーチャが形成されるとともに、第１および第２レールアセンブリーが取り付けられているゲート本体を具え、
前記第１レールアセンブリーが第１ゲートガイドと繋がる第１ゲートレールを含み、
前記第２レールアセンブリーが第２ゲートガイドと繋がる第２ゲートレールを含む、
映写機用のフィルムゲートアセンブリー。
【請求項２１】
前記第１レールアセンブリーに分離可能な第１ゲートガイドと繋がる分離可能な第１ゲートレールを含む請求項２０の装置。
【請求項２２】
前記第１レールアセンブリーは第１ゲートガイドと一体の第１ゲートレールを含む請求項２０の装置。
【請求項２３】
第２レールアセンブリーに分離可能な第２ゲートガイドと繋がる分離可能な第２ゲートレールを含むもの請求項２０の装置。
【請求項２４】
第２レールアセンブリーは第２ゲートガイドと一体の第２ゲートレールを含む請求項２０の装置。
【請求項２５】
更にゲート本体に取り付けられているフィルムテンショニング装置を具えた請求項２０の装置。
【請求項２６】
変形可能な本体と、
該変形可能な本体と繋がる少なくとも２つのテンショニングローラーと、
前記少なくとも２つのテンショニングローラーと繋がるテンショニング装置と、
を更に具えた請求項２５のフィルムテンショニング装置。
【請求項２７】
前記変形可能な本体がローラークレードルを持ち、該ローラークレードルが前記テンショニング装置および前記少なくとも２つのテンショニングローラーと繋がる請求項２６の装置。
【請求項２８】
前記少なくとも２つのテンショニングローラーが表面を傷つけない素材でなる請求項２６の装置。
【請求項２９】
前記少なくとも２つのテンショニングローラーがウレタンでなる請求項２６の装置。
【請求項３０】
更に深さ設定装置を具えた請求項２０の装置。
【請求項３１】
前記設定装置はスクリューを含む請求項３０の装置。
【請求項３２】
変形可能な本体と、
該変形可能な本体と繋がる少なくとも２つのテンショニングローラーと、
該少なくとも２つのテンショニングローラーおよび前記変形可能な本体と繋がるテンショニング装置と、
を具えた映写機用のフィルムテンショニングアセンブリー。
【請求項３３】
前記変形可能な本体がアルミニウムでなる請求項３２の装置。
【請求項３４】
前記変形可能な本体がスチールでなる請求項３２の装置。
【請求項３５】
前記テンショニング装置バネである請求項３２の装置。
【請求項３６】
前記テンショニング装置が、前記変形可能な本体にテンショニングねじで取り付けられたるバネである請求項３２の装置。
【請求項３７】
前記バネがテンショニングねじによって圧縮可能な請求項３６の装置。
【請求項３８】
前記フィルムテンショニングアセンブリーは更にローラークレードルを含み、該ローラークレードルが前記少なくとも２つのテンショニングローラーおよび前記テンショニング装置と繋がっており、前記ローラークレードルが前記変形可能な本体の上に配置可能である請求項３２の装置。
【請求項３９】
前記変形可能な本体は更に取り付け穴を含み、該取り付け穴が前記フィルムテンショニング装置をフィルムトラップ、フィルムゲート、またはその双方に取り付けるのに使用される請求項３２の装置。
【請求項４０】
前記取り付け穴が楕円形である請求項３９の装置。
【請求項４１】
前記少なくとも２つのテンショニングローラーが更にローラーホイールを含む請求項３２の装置。
【請求項４２】
前記ローラーが表面を傷つけない素材でなる請求項４１の装置。
【請求項４３】
前記ローラーホイールがウレタンである請求項４１の装置。
【請求項４４】
前記ローラーホイールが更にベアリングを含む請求項４１の装置。
【請求項４５】
前記変形可能な本体がアルミニウムでなる請求項３２の装置。
【請求項４６】
前記変形可能な本体はスチールでなる請求項３２の装置。
【請求項４７】
イメージアパーチャが形成されるとともに第１および第２レールアセンブリーが取り付けられているトラップ本体を含むフィルムトラップと、
該トラップ本体に取り付け可能で、取り付けフランジと繋がる角度のあるストリッパーブレードを含むストリッパープレートと、
映写アパーチャが形成されるとともに第１および第２レールアセンブリーが配置されるゲート本体を含むフィルムゲートと、
前記ゲート本体に取り付け可能で、取り付け穴が形成されるとともにローラークレードルと繋がる変形可能な本体を含むフィルムテンショニング装置と、を具え、
該テンショニング装置は４つのテンショニングローラーおよびテンショニング装置に繋がり、該テンショニング装置がテンショニングねじに繋がり、前記テンショニング装置が前記ローラークレードルに与える張力は前記テンショニングねじを動かすことによって調整可能であり、更に、
前記フィルムトラップおよび前記フィルムゲートの間に配置されたフィルム移動チャネルであって、前記フィルムトラップが前記フィルムゲートに係合することで形成される当該フィルム移動チャネル、
を具えたフィルムトラップおよびゲートシステム映写機。
【請求項４８】
前記第１トラップレールアセンブリーは分離可能な第１トラップレールと分離可能な第２トラップガイドとを含み、前記第２トラップレールアセンブリーは分離可能な第２トラップレールと分離可能な第２ガイドとを含む請求項４７の装置。
【請求項４９】
前記第１トラップレールアセンブリーが第１トラップガイドと一体の第１トラップレールを含み、前記第２トラップレールが前記第２トラップガイドと一体になっている請求項４７の装置。
【請求項５０】
前記第１ゲートレールアセンブリーは分離可能な第１ゲートレールと分離可能な第２ゲートガイドとを含み、前記第２ゲートレールアセンブリーが分離可能な第２ゲートレールと分離可能な第２ガイドとを含む請求項４７の装置。
【請求項５１】
前記第２ゲートレールアセンブリーは第１ゲートガイドと一体の第１ゲートレールを含み、前記第２ゲートレールは前記第２ゲートレールと一体になっている請求項４７の装置。
【請求項５２】
第１トラップガイドと結合されている第１トラップレールを含む第１トラップレールアセンブリーと、第２トラップガイドと結合されている第２トラップレールを含む第２トラップレールアセンブリーとを持つフィルムトラップと、
第１ゲートガイドと結合されている第１ゲートレールを含む第１ゲートレールアセンブリーと、第２ゲートガイドと結合されている第２ゲートレールを含む第２ゲートレールアセンブリーとを持つフィルムゲートと、を具え、
前記フィルムトラップレールの上に映画のフィルムが位置づけられるとともに、前記フィルムトラップレールアセンブリーが前記ゲートレールアセンブリーを受容する、
映写機用のフィルムトラップおよびゲートアセンブリー。
【請求項５３】
ストリッパーブレードと、
取り付けフランジと、を具え、
前記ストリッパーブレードが角度を持って付着フランジに取り付けられている、
映写機用のフィルムトラップストリッパープレート。
【請求項５４】
前記角度が少なくとも１度である請求項５３の装置。
【請求項５５】
光源と、
映画のフィルムの一部と係合して前記フィルムを前記光源の前で移動させることが可能なフィルム移動装置と、
前記フィルムの部分を受容可能で、第１部材および第２部材で形成されるフィルム移動チャネル順路を含むフィルムトラップおよびゲートアセンブリーと、を具え、
前記フィルム移動チャネルの厚さをｔ、幅をｗとした場合、ｔはフィルムの厚さより大、ｗはフィルムの幅より大であり、更に、
映写面にイメージを映写可能なレンズシステム、を具えた映写機。
【請求項５６】
第１部材および第２部材を持つ装置本体を具え、
前記第１部材の厚さをｔとし、幅をｗとした場合、ｔはフィルムの厚さより大、ｗはフィルムの幅より大であり、
前記第２部材の厚さをｔとした場合、ｔはフィルムの厚さより小である、
映写機のキャリブレート用フィルムトラップおよびゲートキャリブレーション装置。
【請求項５７】
前記第１部材が前記第２部材に取り付けられている請求項５６の装置。
【請求項５８】
前記第１部分が前記第２部分と一体になっている請求項５６の装置。
【請求項５９】
フィルムを映写機で進行させる方法であって、
映写機を用意し、
フィルムを前記映写機内に配置し、
フィルムトラップとフィルムゲートとでフィルム移動チャネルを形成し、
前記フィルムを前記フィルム移動チャネル内に位置づけ、
前記フィルムをフィルムドライブシステムに取り付け、
前記フィルムをフィルムトラップ、フィルムゲート、またはその双方と断続的に接触させながらフィルム移動チャネルに通して移動させる、
方法。
【請求項６０】
前記フィルム移動チャネルは、前記フィルムゲートに配置されているゲートレールアセンブリと係合する前記フィルムトラップに配置されているトラップレールアセンブリーによって形成されている請求項５８の方法。
【請求項６１】
更に前記フィルムをフィルムテンショニング装置に係合させる請求項５８の方法。
【請求項６２】
更に前記フィルムにかかる張力を増加するため前記フィルムテンショニング装置を調整する請求項６１の方法。
【請求項６３】
更に前記フィルムにかかる張力を減少するため前記フィルムテンショニング装置を調整する請求項６２の方法。
【発明の詳細な説明】
【技術分野】
【０００１】
映写機用のフィルムトラップおよびフィルムゲートアセンブリ。
【背景技術】
【０００２】
映写機は、適切な光源の前で連続する透明または半透明の静止画像すなわちコマ（frame）を連続的に進行させ、画像をスクリーンに映写する。フィルムは、コマがアパーチャと整列するまで移動すなわち進行し、離散的な期間停止する。離散的な期間では、２つの離散期間を通じて光がアパーチャ、フィルムのコマ、続いてフォーカスレンズを通り、それによってスクリーンに画像が映写される。続いて、次のコマがアパーチャと整列するまでフィルムが移動する。通常２４コマ／秒の急速なコマの連続進行により、静止画面が動いているような錯覚が引き起こされる。フィルムには映像に同期したサウンドトラックがたいてい１つ以上含まれている。これに関連して、近年のアナログやデジタル録音技術が、現代の映画や通常「サウンドヘッド」と呼ばれる映写機のサウンドシステムにも急速に組み込まれている。
【０００３】
フィルムの連続的な進行を行うため、映写機は歯のついたドライブスプロケットを用いて、一連のフィルムを光源の前で連続的に引っ張る。スプロケットはモータ駆動される「スターホイール」と繋がっている。映写機は更にスプロケットとのフィルムストリップの接触を維持するテンショニングシューを含む。フィルムにはスプロケットの歯が噛み合う２つのドライブトラックが配置され、これによってコマの進行が可能となる。映写フィルムストリップは概して、フィルムの端付近、又は少なくとも１つのドライブトラックの内側に位置する少なくとも１つのサウンドトラックを含んでいる。
【０００４】
映写機は照明プレーン内でフィルムストリップを正確に整列させ、位置づけるため、通常フィルムトラップおよびゲートのアセンブリーを用いる。フィルムトラップおよびゲートのアセンブリーには一組のランナーが備えられ、アパーチャを通過するフィルムの移動を制御する。操作の際、フィルムの両端はランナー、プレッシャーバンドおよびテンショニングシューと常に接触している。従って、ある期間以上、ランナー、プレッシャーバンドおよびテンショニングシューと常時接触したままとなるとフィルムの両端はこすられ、傷つく。更に、ランナー、プレッシャーバンドおよびテンショニングシューズについているホコリやゴミなどの不純物がフィルムにもつくこともある。こういったフィルムの傷やフィルムについた不純物は、サウンドヘッド（映写機のサウンドシステム）によるサウンドトラックの明瞭な再生を阻害してしまう。
【０００５】
加えて、映写機は主に前進させるために設計されており、フィルムが照明アパーチャの前をドライブスプロケットで引っ張られる仕組みになっている。時には、フィルムトラップのスプロケット付近にストリッパープレートという削り具（sharpen device）が配置され、フィルムを逆方向に進行させるときにフィルムの継ぎ目を剥ぐようになっている。フィルムのたるんでいる部分をストリッパープレートの前および、ランナー、プレッシャーバンドおよびテンショニングシューの前で押すことはしばしば困難である。ストリッパープレートと接触するフィルムストリップに酷い傷が生ずることもある。そのため、特に上映中にフィルムを逆回しすることはしばしばフィルムを損傷することになる。
【０００６】
つまり、フィルムの両端表面のすれを減らしてフィルムプリント長寿命化する映写機用フィルムトラップおよびフィルムゲートのアセンブリーが必要となる。更に、フィルムを傷つけずに操作者が逆方向にも進行させることができるようなフィルムトラップおよびのアセンブリーが必要となる。
【発明の開示】
【発明が解決しようとする課題】
【０００７】
本発明は、内部に配置されるフィルムに生ずる損傷を減らすフィルムトラップおよびゲートのアセンブリーの要望を解決し、もって映写の使用可能寿命を伸ばすものである。ここで開示されるフィルムトラップおよびゲートのアセンブリーは、フィルムがランナー、プレッシャーバンド、スチール製のテンショニングシューズと常に接触する必要をなくし、それによってフィルムに生ずる傷を減らす、または無くすものである。更に本発明は、フィルムを高速で上映しながらも、傷つけずに逆方向に進行させることを操作者ができるようにする。本発明は、数々の映写機システムにその変更を要することなく、あるいは最小限の改造により、活用することができる。
【課題を解決するための手段】
【０００８】
本発明のフィルムトラップおよびゲートのアセンブリーは、フィルムストリップが通過する分離された空間を形成する移動チャネルを具える。フィルム移動チャネルは、フィルムゲートがフィルムトラップに噛み合って形成され、装着されたフィルムの厚さより大きい空間を形成する。同様に、フィルム移動チャネルの幅は、内部に位置するフィルムの幅より大きい。従来のシステムは、フィルムトラップに配置されたスプリング入りのプレッシャーバンドがフィルムと常に接触し、フィルムゲートに向けてフィルムを強制的にバイアスしている。それと異なり、本発明の移動チャネルは、チャネル内でのフィルムの移動や浮きを許す。結果として、フィルムへの傷は減り、または無くなり、フィルムストリップの寿命が延びる。
【０００９】
本発明の更なる実施例では、アパーチャが形成され、さらに第１および第２トラップレールアセンブリーが設置されているトラップ本体を具えたフィルムトラップを開示する。第１トラップレールアセンブリーは、第１トラップガイドと繋がる第１トラップレールを含む。同様に、第２トラップレールアセンブリーは、第２トラップガイドと繋がる第２トラップレールを含む。フィルムは第１および第２トラップレール上に配置される。フィルムの横方向の変位は第１および第２トラップガイドによって制限される。当業者であれば、本発明により、バネを使ったプレッシャーバンドによってフィルムに常に圧力をかける必要がなくなり、それによって操作過程でのフィルムの損傷が低減されまたは無くなることが認められよう。
【００１０】
更に、本発明はフィルムゲートに取り付け可能なフィルムテンショニング装置も開示する。フィルムテンショニング装置は、変形可能な本体であって少なくともそれに取り付けられたテンショニングローラーと、ローラーと繋がるテンショニング装置とを有する本体を含む。更に、変形可能な本体はそこにテンショニングローラーを配置するためのローラークレードルを具えていてもよい。当業者であれば、本発明のテンショニングローラーがエラストマー、ウレタン、ゴムに限らず、表面を傷つけない（non-abrasive）材料で構成されていてもよいこと認めるであろう。他の実施例では、テンショニングローラーが加える張力を調整するためにテンショニング装置を作動させることができる。
【００１１】
本発明の更に他の実施例では、フィルムトラップおよびゲートシステムが次のように説明される。フィルムトラップおよびゲートシステムは、フィルムゲートと係合可能なフィルムトラップを含む。フィルムトラップは、トラップ本体であってと、それに形成されたアパーチャと、それに取り付けられた第１および第２レールアセンブリーを有する本体を含む。フィルムトラップには更に、ストリッパープレートが設けられ、それには角度のあるストリッパーブレードとそれに通じた取り付けフランジとが設けられている。ストリッパープレートは取り付けフランジに少なくとも１度の角度で取り付けられており、それによってフィルムの逆移動を可能にする。フィルムゲートは、ゲート本体であって、それに形成されたアパーチャと、それに取り付けられた第１および第２のレールアセンブリーとを有する本体を含む。フィルムテンショニング装置はゲート本体に付着されている。テンショニング装置は、変形可能な本体であって、それに形成された取り付け穴と、それに取り付けられたローラークレードルとを有する本体を含む。取り付け穴は好ましくは取り付けスロットを形成し、それによってユーザがゲート本体に対してフィルムテンショニング装置の長さを調整できるようにする。少なくともテンショニングローラーはローラークレードルと通じている。テンショニング装置はローラークレードルと通じており、ユーザはテンショニング装置が加える張力を調整できる。
【００１２】
本発明の別の実施形態では、映写機に利用するフィルムゲートストリッパープレートが開示される。ストリッパープレートは取り付けフランジに取り付けられるストリッパーブレードを含む。ストリッパープレートは、好ましくはフィルムゲート本体へ向けて少なくとも１度の角度がある。当業者であれば、本発明により、フィルムがストリッパーブレードと接触せず逆移動を許され、それによってフィルムを傷つける可能性を減らすことが認められよう。
【００１３】
本発明の他の実施形態では、第１および第２部材を含んだ、フィルムトラップおよびゲートのキャリブレーション装置が開示される。第１部材は映画フィルムの厚みより厚く、フィルムの幅より大きい。第２部材は映画フィルムの厚みより薄く、フィルムの幅より小さい。これによって操作者は、装着された映画フィルムよりやや大きく、または小さくなるよう、トラップおよびゲートレールをキャリブレートすることができる。
【００１４】
本発明は、映画フィルムを映写機を通して進行させる方法を開示する。進行の方法は、映写機内にフィルムを配置し、フィルムトラップおよびゲートのアセンブリーを用いて映写機内にフィルム移動チャネルを形成し、そのフィルム移動チャネル内にフィルムを位置づけ、フィルムをフィルムドライブシステムに取り付け、フィルムをフィルム進行チャネルを通して移動させることを含む。当業者であれば、本発明により、フィルムトラップおよびゲートのいずれか、または両方に間欠的にフィルムが接触し、従来のシステムのように常時圧力を使わなくてよいことが認められよう。
【００１５】
本発明の他の目的や更なる特徴は、次の詳細な説明を添付された図面と合わせて読むと明らかになる。
【発明を実施するための最良の形態】
【００１６】
本発明の種々の実施形態を詳細に説明する。この説明は限定を意味するものではなく、単に発明の原則を説明するためのものである。この詳細な説明の全体的な構成は便宜のためであり、本発明を限定するためではない。
【００１７】
当業者であれば、本発明が連続した（continuous）フィルムトラップレールアセンブリーおよび連続したフィルムゲートレールアセンブリーを含んでおり、従来のようにフィルムに絶えず接触しているスプリング入りランナーやプレッシャーバンドの必要性を除去したことが認められよう。更に本発明は、従来では通常使われていたスチール製のテンショニングシューズに代えて、表面を傷つけないテンションローラーを含んでいる。これによって、フィルムトラップおよびゲートのアセンブリー２４の間の常時の接触によるフィルム１４の傷は減り、または無くなり、フィルムプリントの寿命が長くなる。更に、本発明は角度を付けたストリッパープレートをさらに具え、上映中もしくは高速度（２４コマ／秒以上）でもユーザが逆方向に映写機を操作することを可能にする。
【００１８】
図１には本発明とともに使用する通常の映写機が示されている。映写機１０はコンパートメント１２を有し、開口１６を介して映画フィルム１４を受容する。フィルム１４はフィードスプロケット１８と噛み合い、フィードスプロケット１８とフィードローラー２０との間を進む。フィルムはそれからローラー２２と係合し、フィルムトラップおよびゲートアセンブリー２４へ通るために位置づけられる。フィルムトラップおよびゲートアセンブリー２４はフィルムトラップ２６とフィルムゲート２８とを具え、これらがフィルム１４を光源３０と映写アセンブリー３２との間に位置づける。フィルムはフィルムトラップおよびゲートアセンブリー２４から出て受容スプロケット３４と噛み合う。フィルムは第２フィードスプロケット３６と第２ローラー３８との間を進み、映写機１０を出る。
【００１９】
図２を参照するに、映画フィルム１４は概して、第１ドライブトラック４２Ａと第２ドライブトラック４２Ｂとの間に位置づけられる画像領域４０を具えている。少なくとも１つのサウンドトラックがドライブトラック４４Ａおよび４４Ｂの付近に配置されている。図２に示すフィルム１４は４つのサウンドトラックを含み、フィルム１４を様々な映写システムやサウンドヘッドで使用することができる。図示のように、フィルムはＳＤＤＳデジタルサウンドトラック４４Ａおよび４４Ｂ、ＳＲＤデジタルサウンドトラック４６、アナログサウンドトラック４６および、ＤＴＳデジタルサウンドトラックを含む。
【００２０】
図３を参照するに、映画フィルム１４の一部と係合しているフィルムトラップおよびゲートアセンブリー２４が示されている。フィルムトラップおよびゲートアセンブリー２４はフィルムトラップ２６およびフィルムゲート２８を具えている。操作の際、フィルム１４はフィルムトラップおよびゲートアセンブリー２４の第１端５２を入り、画像が映写アパーチャ５４を通して映写される。フィルム１４はフィルムトラップおよびゲートアセンブリー２４の第２端５６から出る。当業者であれば、本発明は、鋳鉄、スチール、アルミニウム、強化プラスチック、ウレタン、ゴムまたはその他の有用な素材を含む複数の材料から加工できること、またそれに限られないことも認められよう。あるいは、本発明は様々な素材で加工できる。例えば、一形態においては、フィルムトラップ２６はスチールのような比較的剛の素材を用い、他の形態では、ウレタンのような比較的柔軟な素材を用いることができる。
【００２１】
図４および図５を参照するに、本発明のフィルムトラップ２６はトラップ本体５８を具え、本体はそこにそれぞれ形成されたに２つのアパーチャ６０および６２を有するとともに、そこに取り付けられた２つのトラップレールアセンブリー６４Ａおよび６４Ｂを有している。第１トラップレールアセンブリー６４Ａは第１トラップレール６６Ａと第１トラップガイド６８Ａとを含み、更に第１可動ガイドローラー７０Ａが配置されている。同様に、第２レールアセンブリー６４Ｂは第２トラップレール６６Ｂと第２トラップガイド６８Ｂとを含み、更に第２可動ガイドローラー７０Ｂが配置されている。ストリッパープレート７２がトラップ本体５８に取り付けられており、第１および第２トラップレールアセンブリー６４Ａおよび６４Ｂ間に位置づけられている。図５に示すように、トラップ本体５８は更にフィルムトラップ２６を映写機１０（不図示）に取り付けるトラップ取り付けピン７４を含む。
【００２２】
図６は本発明のフィルムトラップ２４の分解図を示す。第１ガイドローラー７２Ａおよび第２ガイドローラー７０Ｂは、フィルムトラップ２６の第１アパーチャ６０内に位置づけられるローラーシャフト７６上に配置してある。プレートスプリング７８は、これが第２アパーチャ６２内に位置づけられるようフィルムトラップ２６に取り付けられている。プレート８０はアパーチャ８２を有するとともに、そこに形成されたねじ受容部８４Ａおよび８４Ｂを有し、トラップ本体５８にねじ８６Ａおよび８６Ｂで取り付けられて第１アパーチャ６０上に位置づけられるとともに、第２アパーチャ６０を一部塞ぐ。図６に示すように、第１ガードローラー受容部８８Ａは第１フィルムトラップ６６Ａの中に形成され、第１ガードローラーの窪み９０Ａは第１トラップガイド６８Ａの中に形成されている。組み立てると、第１トラップレール６６Ａと第１トラップガイド６８Ａとから成る第１レールアセンブリー６４Ａは、第１ガードローラー受容部８８Ａおよび窪み９０Ａを通して第１可動ガイドローラー７０Ａを受けるのに適応したものとなる。同様に、第２ガードローラー受容部８８Ｂは第２フィルムトラップ６６Ｂの中に形成され、第２ガードローラーの窪み９０Ｂは第２トラップガイド６８Ｂの中に形成されている。組み立てると、第２トラップレール６６Ｂと第１トラップガイド６８Ｂとから成る第２レールアセンブリー６４Ｂは、第２ガードローラー受容部８８Ｂおよび窪み９０Ｂを通して第２可動ガイドローラー７０Ｂを受けるのに適応したものとなる。第２アパーチャ６２は更にストリッパープレート７２の取り付けフランジ９２により塞がれる。ストリッパープレートは、取り付けフランジ９２と一体のストリッパーブレード９４と、取り付けフランジ９２に形成された取り付け穴（orifice）９６とを具えている。ストリーパープレート７２はフランジねじ９８でトラップ本体５８に取り付けられる。
【００２３】
図７Ａおよび図７Ｂを参照するに、フィルムトラップ２６とともに使用できるレールアセンブリーの本発明のいくつかの実施形態が示される。図７Ａは第１フィルムレール６６Ａと分離した第１フィルムガイド６８Ａとで成る第１レールアセンブリー６４Ａを示す。他の実施形態として、図７Ｂでは、第１フィルムガイド６８Ａ’と一体化した第１フィルムレール６６Ａ’を有する第１レールアセンブリー６４Ａ’が示されている。当業者であれば、本発明の連続したレールの設計により、従来のデザインに見られたようなスプリング入りランナーの必要性を排除し、これによってフィルムの磨耗や損傷が減ることが認められよう。
【００２４】
図８Ａから図８ｃは本発明のストリッパープレートを示す種々の図である。ストリッパープレート７２は、取り付けフランジ９２と、これに一体のストリッパーブレード９４とを具える。図８Ｂに示すように、ストリッパーブレード９４はある角度をもって取り付けフランジ９６に取り付けられている。角度のある本発明のストリッパーブレード９４はフィルム１４がストリッパー５２のブレード部分９４と接触する可能性を減らし、それによりユーザは映写機１０を逆方向に操作できるようにする。
【００２５】
図９を参照するに、フィルム１４の一部が装着されているフィルムトラップ２６が示されている。図示のように、フィルムドライブトラック４２Ａおよび４２Ｂは、トラップガイド６８Ａおよび６８Ｂの間にあるトラップレール６６Ａおよび６６Ｂ（不図示）の上に配置されており、フィルム画像領域４０がトラップ本体５８内に形成された第１アパーチャ６０上に位置づけられるようになっている。トラップガイド６８Ａおよび６８Ｂは操作中で生じ得るフィルム１４の横方向の変位を制限することにより、スクリーン（不図示）に映写される映像を安定させる。
【００２６】
図１０および図１１は本発明のフィルムゲート２８を示す。フィルムゲート２８はゲート本体１００を具え、この本体はそれに形成されているゲートアパーチャ１０２と、それに取り付けられている２つのゲートレールアセンブリー１０４Ａおよび１０４Ｂとを有している。第１ゲートアセンブリー１０４Ａは、第１ゲートガイド１０８Ａに取り付けられた第１ゲートレール１０６Ａを具える。同様に、第２ゲートアセンブリー１０４Ｂは、第２ゲートガイド１０８Ｂに取り付けられた第２ゲートレール１０６Ｂを具える。フィルムゲート２８には更にフィルムテンショニングアセンブリー１１０が設けられ、これは取り付けスロット１１４が形成されている変形可能な本体１１２を含む。取り付けスロット１１４の中に配置されている取り付けねじ１１６はテンショニングアセンブリー１１０をゲート本体１００に取り付けるのに用いられる。変形可能な本体１１２は更に第１テンショニングローラー１１８Ａおよび１１８Ｂと、第２テンショニングローラー１２０Ａおよび１２０Ｂとを含む。図１１に示すように、フィルムゲート２８は更に、深さ調整穴１４２を具え、これは次に詳述される。
【００２７】
図１２は本発明のフィルムゲート２８の分解図を示す。図にあるように、第１レールスプリング１２４Ａおよび１２４Ｂは第１レールスプリングレシーバー１２６Ａおよび１２６Ｂの間に配置される。同様に、第２レールスプリング１２８Ａおよび１２８Ｂは第２レールスプリングレシーバー１３０Ａおよび１３０Ｂの間に配置される。第１レールアセンブリー１０４Ａは第１ゲートレール１０６Ａおよび第１ゲートガイド１０８Ａを具え、第１レールスプリング１２４Ａおよび第２レールスプリング１２８Ａを覆ってゲート本体１００上に位置づけられる。次に第１レールアセンブリー１０４Ａは、第１ゲートレール１０８Ａ内にそれぞれ形成されている第１および第２アセンブリー穴１３４Ａおよび１３８Ａの中にそれぞれ配置される第１および第２アセンブリーねじ１３２Ａおよび１３６Ａによって、ゲート本体２８に取り付けられる。同様に、第２レールアセンブリー１０４Ａは第２ゲートレール１０６Ｂおよび第２ゲートガイド１０８Ｂを具え、第１レールスプリング１２４Ｂおよび第２レールスプリング１２８Ｂを覆ってゲート本体１００上に位置づけられる。次に第２レールアセンブリー１０４Ｂは、第２ゲートレール１０８Ｂ内に形成されている第１および第２アセンブリー穴１３４Ｂおよび１３８Ｂの中にそれぞれ配置される第１および第２アセンブリースクリュー１３２Ｂおよび１３６Ｂによって、ゲート本体２８に取り付けられる。深さ調整装置１４０はゲート本体１００内に形成されている深さ調整穴１４２に配置される。深さ調整装置１４０によって、組み立て時に操作者がトラップ２６（不図示）とゲート２８との隙間を正確に調整することができるようになる。深さ調整ピン１４４を用いて深さを調整することができる。ゲート本体１００は更に取り付け受容部１４８を有するテンショニングアセンブリー受容部１４６を具える。変形可能な本体１１２は取り付けスロット１１４の中に配置されるねじ１１６によってゲート本体に取り付けられる。変形可能な本体１１２によって操作者がストリッパープレート７２に関するフィルムテンショニング部分１１０の位置を正確に位置決めすることが可能となり、それによってフィルム１４とストリッパープレート７２およびテンショニングローラー１１８Ａ，１１８Ｂ、１２０Ａ，１２０Ｂとの接触が制限されることは、当業者であれば認められよう。変形可能な本体１１２は、アルミニウム、スチールおよびその他素材を含む複数の材料から製造することができるが、これに限られるものでもない。他の実施形態では、変形可能な本体１１２を剛の素材で製造することもできる。フィルムテンショニングアセンブリー１１０の要素を次に詳述する。
【００２８】
図１３Ａから図１３Ｃは本発明のフィルムテンショニングアセンブリー１１０を示す。フィルムテンショニングアセンブリー１１０は、変形可能な本体１１２を具え、この本体はそれに形成されている付着スロット１１４と、その上に配設されたテンショニングねじ受容部１５２を有している。ローラークレードル１５６はテンショニングねじ受容部１５２上に位置づけられてテンショニング装置受容部１５８内にテンショニング装置１５４を受容するものであり、テンショニングねじ１５０で本体１１２に取り付けられる。使用時には、テンショニング装置１５４はローラークレードル１５６に調整可能なバイアス力を作用し、それによってユーザはテンショニングローラー１１８Ａ，１１８Ｂおよび１２０Ａ，１２０Ｂがフィルム１４に加える力を調整できるようになる。テンショニングスクリュー１５０を動かすことによってユーザはテンショニング装置１５４がローラークレードル１５６に加える力を増し、結果としてテンショニングローラー１１８Ａ，１１８Ｂおよび１２０Ａ，１２０Ｂが力をより加えるようになる。第１テンショニングローラー１１８Ａおよび１１８Ｂはそれぞれ第１ローラーベアリング１６０Ａおよび１６０Ｂを受容し、それぞれ、第１ローラースクリュー１６２Ａおよび１６２Ｂによってローラークレードル１５６に取り付けられる。同様に、第２テンショニングローラー１２０Ａおよび１２０Ｂはそれぞれ第２ローラーベアリング１６４Ａおよび１６４Ｂを受容し、第１ローラースクリュー１６６Ａおよび１６６Ｂによってローラークレードル１５６に取り付けられる。図１３Ｃはフィルムゲート２８に取り付けられた本発明のフィルムテンショニングアセンブリー１１０を示す。従来のものはフィルム１４と接触してこれを損傷するスチール製テンショニングシューを用いていたのに対し、本発明のフィルムテンショニング部材１１０は表面を傷つけない材料で構成されている。当業者であれば、第１テンショニングローラー１１８Ａおよび１１８Ｂ、並びに第２テンショニングローラー１２０Ａおよび１２０Ｂは、エラストマー、ウレタン、ゴム、シリコンまたはその他の表面を傷つけない素材で製造することができること、またそれに限られないことも認められよう。あるいは、フィルムテンショニング装置はＴｅｆｌｏｎ（登録商標）などの摩擦を減らす素材で構成されていてもよい。
【００２９】
図１４Ａから図１４を参照するに、ゲート２８は深さ調整穴１４２の中に位置づけられる深さ調整装置１４０を具えている。深さ調整装置によって操作者は、フィルムトラップ２６（不図示）とフィルムゲート２８との間に十分なフィルムクリアランスが維持されることを確実にし、フィルム移動チャネルを形成することができる。操作者が深さ調整装置１４０を進ませて、フィルムゲート２８がフィルムトラップ２６上に配置されたときに深さ調整装置１４０がトラップ本体５８に接触するようにする。ここで、トラップレール６６Ａおよび６６Ｂとゲートレール１０６Ａおよび１０６Ｂとの間に十分なフィルムクリアランスが残る。図１４Ｂはフィルムトラップ２６の第１および第２トラップレール６６Ａおよび６６Ｂに配置されているフィルム１４を示す。フィルムゲート２８はその上に配置されている。図１４Ｃはフィルムトラップ２６と係合しているフィルムゲート２８を示す。図１４Ｃは、トラップレールアセンブリー６４とゲートレールアセンブリーとで形成されたフィルム移動チャネル１６８内に装着され、ノンバイアスでフィルム移動チャネル１６８を通過できるフィルム１４を示す。
【００３０】
図１５Ａおよび図１５Ｂは本発明のレールアセンブリー１０４Ｂの様々な実施形態を示す。図１５Ａに示されているように、本発明は分離した第２レールガイド１０８Ｂに取り付けられた第２ゲートレール１０６Ｂを具えるレールアセンブリー１０４Ｂを示している。他の実施例では、図１５Ｂに示されているようにレールアセンブリー１０４Ｂ’は第２ゲートガイド１０８Ｂ’と一体の第２レール部分１０６Ｂ’を具えている。同様に、第１レールアセンブリー１０４Ａについても、分離された第２レール／ガイドアセンブリー、または一体のレール／ガイドアセンブリーのいずれを具えていてもよい。本発明の連続したゲートレールアセンブリーは連続したトラップレールアセンブリーと互いに係合し、それらの間に分離されたフィルム通路を形成する。
【００３１】
本発明は更にフィルムトラップとゲートアセンブリー２４とともに用いられるキャリブレーション装置を開示する。図１６Ａから図１６Ｃで示されているように、キャリブレーション装置１７０は、トラッププレート部分１７２とそれに取り付けられているゲートプレート部分１７４とを具えている。トラッププレート部分１７２はフィルム１４の幅より若干、例えば０．００５インチ大きい幅をもつように製造されている。フィルムトラップ２６をキャリブレートするには、ユーザはフィルムトラップ２６の上にキャリブレーション装置１７０を配置し、トラッププレート部分１７２がトラップレールアセンブリー６４Ａと６４Ｂとの間に位置づけられて、プレート８０と繋がるようにする。そしてトラップレール取り付けねじを締める。同様に、キャリブレーション装置１７０はゲートレールアセンブリー１０４Ａおよび１０４Ｂをキャリブレーションするために使用できる。ゲートプレート部分１７４をゲート２８の上に置き、ゲートプレート部分１７４がゲートレールアセンブリー１０４Ａと１０４Ｂとの間に位置づけられるようにする。そして、レール取り付けねじ１３２Ａ、１３２Ｂ、１３６Ａ、および１３６Ｂを締める。ゲートプレート部分１７４はフィルム１４幅より若干、例えば０．００５インチ小さい幅をもつように製造されている。当業者であれば、本発明のキャリブレート装置１７０により、従来のトラップゲートシステムのように複数の寸法調整シム（sizing shim）を必要とせず、ユーザは簡単にフィルムトラップおよびゲートアセンブリー２４をキャリブレートできるようになることが認められよう。
【００３２】
本発明は更にフィルムトラップおよびゲートアセンブリー２４の使用方法を開示する。図１に示されているように、トラップ２６およびゲート２８がフィルム映写機１０の中に配置され、トラップ第１アパーチャ６０およびゲートアパーチャ１０２が光源３０と映写システム３２との間に位置づけられるようになっている。当業者であれば、僅かな変更で、または変更を要することなく、本発明が従来のフィルムトラップおよびゲートアセンブリーに置換できることが認められよう。図３に示されているように、フィルムトラップ２６とフィルムゲート２８はフィルム映写機１０の中に配置され、フィルム１４は第１および第２トラップレール６６Ａおよび６６Ｂの上に配置される。そしてフィルム１４はドライブシステムスプロケット１８、３４および３６とそれぞれ噛み合うようになっている。フィルムゲート２８がフィルムトラップ２６と噛み合わされて、第１および第２ゲートレール１０６Ａおよび１０６Ｂはトラップ第１および第２レール６６Ａおよび６６Ｂの上に配置されるフィルム１４近傍に位置づけられるようになっている。そしてフィルムゲート２８の上に配置されている深さ調整装置１４０を作動させることで、トラップレール６６Ａおよび６６Ｂ、並びにゲートレール１０６Ａおよび１０６Ｂの間に十分なクリアランスが確実に存在し、それらの間に位置づけられるフィルム１４の長手方向に自由に移動できるようにする。トラップガイド６８Ａおよび６８Ｂ、並びにゲートガイド１０８Ａおよび１０８Ｂは、トラップ２６およびゲート２８の位置決めおよび設置の助けとなる。その後、フィルム映写機ドライブシステムが作動し、フィルムが進行する。
【００３３】
本発明は連続したトラップレールアセンブリー６４Ａおよび６４Ｂと、連続したゲートレールアセンブリー１０４Ａおよび１０４Ｂとを取り入れることにより、装着されたフィルム１４と接触するスチール製のテンショニングシュー、スプリング入りランナーおよびプレッシャーバンドの必要を排除できることが、当業者であれば認められよう。それにより、フィルムトラップおよびゲートアセンブリー２４との接触の繰り返しで起こるフィルム１４が損傷減り、あるいはなくなる。
【００３４】
終わりに、以上では本発明の具体的な実施形態を説明したことに注意すべきである。しかし本発明はこれらの具体的な実施形態によって限定されるものではないことを理解すべきである。従って、本発明はここに詳細に説明された特定の実施形態に限定されるものではない。請求の範囲に関しては、機能的な記載とともに「手段」の語が用いられない限り、35 U.S.C セクション 12の第６パラグラフに基づいて解釈しないことが出願人の意志である。更に、請求の範囲に関しては、いずれの請求項も本発明の目的のために組み合わせることもできることを理解すべきである。
【図面の簡単な説明】
【００３５】
【図１】映画フィルムが通る映写機の模式図である。
【図２】複数のサウンドトラックが配された映画フィルムの拡大側面図である。
【図３】映画フィルムが装着された本発明フィルムトラップおよびゲートのアセンブリーの斜視図である。
【図４】本発明のフィルムトラップの斜視図である。
【図５】本発明のフィルムトラップの上面図である。
【図６】本発明のフィルムトラップの分解図である。
【図７Ａ】本発明の第１フィルムトラップレールアセンブリーの実施形態の斜視図である。
【図７Ｂ】本発明の第１フィルムトラップレールアセンブリーの他の実施形態の斜視図である。
【図８Ａ】本発明のフィルムトラップで用いられるストリッパープレートの上面図である。
【図８Ｂ】本発明のフィルムトラップで用いられるストリッパープレートおよび、角度を付けたストリッパーブレードの側面図である。
【図８Ｃ】本発明のフィルムトラップで用いられるストリッパープレートの斜視図である。
【図９】フィルムが装着された本発明のフィルムトラップの上面図である。
【図１０】本発明のフィルムゲートの斜視図である。
【図１１】本発明のフィルムゲートの上面図である。
【図１２】本発明のフィルムゲートの分解図である。
【図１３Ａ】本発明のフィルムテンショニングアセンブリーの斜視図である。
【図１３Ｂ】本発明のフィルムテンショニングアセンブリーの分解図である。
【図１３Ｃ】本発明のフィルムテンショニングアセンブリーの底面図である。
【図１４Ａ】深さ設定装置が配置された本発明のフィルムゲートの側面図である。
【図１４Ｂ】フィルムと係合すべく用意された本発明のフィルムトラップおよびゲートのアセンブリーの底面図である。
【図１４Ｃ】フィルムと係合すべく用意された本発明のフィルムトラップおよびゲートのアセンブリーの底面図である。
【図１５】本発明の第２フィルムゲートレールアセンブリーの一実施形態および他の実施形態の斜視図である。
【図１６Ａ】本発明のフィルムトラップおよびゲートのアセンブリーのキャリブレートに使用されるキャリブレーション装置の斜視図である。
【図１６Ｂ】本発明のフィルムトラップのキャリブレートに使用されるキャリブレーション装置の側面図である。
【図１６Ｃ】本発明のフィルムゲートのキャリブレートに使用されるキャリブレート装置の側面図である。
【図１】
2004526211.tif 000003
【図２】
2004526211.tif 000004
【図３】
2004526211.tif 000005
【図４】
2004526211.tif 000006
【図５】
2004526211.tif 000007
【図６】
2004526211.tif 000008
【図７Ａ】
2004526211.tif 000009
【図７Ｂ】
2004526211.tif 000010
【図８Ａ】
2004526211.tif 000011
【図８Ｂ】
2004526211.tif 000012
【図８Ｃ】
2004526211.tif 000013
【図９】
2004526211.tif 000014
【図１０】
2004526211.tif 000015
【図１１】
2004526211.tif 000016
【図１２】
2004526211.tif 000017
【図１３Ａ】
2004526211.tif 000018
【図１３Ｂ】
2004526211.tif 000019
【図１３Ｃ】
2004526211.tif 000020
【図１４Ａ】
2004526211.tif 000021
【図１４Ｂ】
2004526211.tif 000022
【図１４Ｃ】
2004526211.tif 000023
【図１５】
2004526211.tif 000024
【図１６Ａ】
2004526211.tif 000025
【図１６Ｂ】
2004526211.tif 000026
【図１６Ｃ】
2004526211.tif 000027
【国際公開パンフレット】
2004526211.tif 000028
2004526211.tif 000029
2004526211.tif 000030
2004526211.tif 000031
2004526211.tif 000032
2004526211.tif 000033
2004526211.tif 000034
2004526211.tif 000035
2004526211.tif 000036
2004526211.tif 000037
2004526211.tif 000038
2004526211.tif 000039
2004526211.tif 000040
2004526211.tif 000041
2004526211.tif 000042
2004526211.tif 000043
2004526211.tif 000044
2004526211.tif 000045
2004526211.tif 000046
2004526211.tif 000047
2004526211.tif 000048
2004526211.tif 000049
2004526211.tif 000050
2004526211.tif 000051
2004526211.tif 000052
2004526211.tif 000053
2004526211.tif 000054
2004526211.tif 000055
2004526211.tif 000056
2004526211.tif 000057
2004526211.tif 000058
2004526211.tif 000059
2004526211.tif 000060
2004526211.tif 000061
2004526211.tif 000062
2004526211.tif 000063
2004526211.tif 000064
2004526211.tif 000065
2004526211.tif 000066
2004526211.tif 000067
2004526211.tif 000068
2004526211.tif 000069
【手続補正書】
【提出日】平成15年5月20日(2003.5.20)
【手続補正１】
【補正対象書類名】特許請求の範囲
【補正対象項目名】全文
【補正方法】変更
【補正の内容】
【特許請求の範囲】
【請求項１】
第１部材と第２部材とで形成されたフィルム移動チャネルであって、前記第１部材が第１および第２フィルムトラップレールを含み、前記第２部材が第１および第２フィルムゲートレールを含み、前記第１フィルムトラップレールと前記第１フィルムゲートレールとが互いに対向し、前記第２フィルムトラップレールと前記第２フィルムゲートレールとが互いに対向している当該フィルム移動チャネルを具え、
該フィルム移動チャネルは厚さｔおよび幅ｗを有し、ｔが映画フィルムの厚さより大で、ｗが前記映画フィルムの幅より大であり、
ｗがｔより大であり、
映画フィルムが前記フィルム移動チャネル内に配置されて該フィルム移動チャネルを自由に通過し、前記第１フィルムトラップレールと前記第１フィルムゲートレールとの空間および、前記第２フィルムトラップレールと前記第２フィルムゲートレールとの空間は、表面が接触しないようにされて、前記対向するレール間のフィルムが通過する部分が前記フィルムに対し十分なクリアランスを提供することで前記空間を自由に通過できるようにした、
映写機用のフィルムトラップおよびゲートアセンブリー。
【請求項２】
前記第１フィルムトラップレールアセンブリーは第１トラップガイドと繋がる第１トラップレールを含み、前記第２フィルムトラップレールアセンブリーは第２トラップガイドと繋がる第２トラップレールを含む請求項１の装置。
【請求項３】
前記第１トラップレールアセンブリーは分離可能な第１トラップガイドと繋がる分離可能な第１トラップレールを含む請求項２の装置。
【請求項４】
前記第１トラップレールアセンブリーは第１トラップガイドと一体の第１トラップレールを含む請求項２の装置。
【請求項５】
前記第２トラップレールアセンブリーは分離可能な第２トラップガイドと繋がる分離可能な第２トラップレールを含む請求項２の装置。
【請求項６】
前記第１フィルムゲートレールアセンブリーは第１ゲートガイドと繋がる第１ゲートレールを含み、前記第２フィルムゲートレールアセンブリーは第２ゲートガイドと繋がる第２フィルムゲートレールを含む請求項１の装置。
【請求項７】
前記第１ゲートレールアセンブリーは分離可能な第１ゲートガイドと繋がる分離可能な第１ゲートレールを含む請求項６の装置。
【請求項８】
前記第１ゲートレールアセンブリーは第１ゲートガイドと一体の第１ゲートレールを含む請求項６の装置。
【請求項９】
前記第２ゲートレールアセンブリーは分離可能な第２ゲートガイドと繋がる分離可能な第２ゲートレールを含む請求項６の装置。
【請求項１０】
イメージアパーチャが形成されるとともに、第１および第２レールアセンブリーが取り付けられているトラップ本体であって、
前記第１レールアセンブリーが第１トラップガイドと繋がる第１トラップレールを含み、
前記第２レールアセンブリーが第２トラップガイドと繋がる第２トラップレールを含む、
当該トラップ本体と、
イメージアパーチャが形成されるとともに、第１および第２レールアセンブリーが取り付けられているゲート本体であって、
前記第１レールアセンブリーが第１ゲートガイドと繋がる第１ゲートレールを含み、
前記第２レールアセンブリーが第２ゲートガイドと繋がる第２ゲートレールを含む、
当該ゲート本体と、を具え、
前記第１および第２フィルムトラップレールアセンブリーと、前記第１および前記ゲートレールアセンブリとは、前記第１トラップレールと前記第１ゲートレールとが互いに対向し、前記第２トラップレールと前記第２ゲートレールとが互いに対向するように配置され、さらに、
前記第１トラップレールと前記第１ゲートレールとの間および、前記第２トラップレールと前記第２ゲートレールとの間には、表面が接触しないようにされた空間があり、前記対向するレール間のフィルムが通過する部分が前記フィルムに対し十分なクリアランスを提供することで前記空間を自由に通過できるようにした、
映写機用のフィルムトラップアセンブリー。
【請求項１１】
前記第１レールアセンブリーは分離可能な第１トラップガイドと繋がる分離可能な第１トラップレールを含む請求項１０の装置。
【請求項１２】
前記第１レールアセンブリーは第１トラップガイドと一体の第１トラップレールを含む請求項１０の装置。
【請求項１３】
前記第２レールアセンブリーは分離可能な第２トラップガイドと繋がる分離可能な第２トラップレールを含む請求項１０の装置。
【請求項１４】
前記第２レールアセンブリーは第２トラップガイドと一体の第２トラップレーを含む請求項１０の装置。
【請求項１５】
更に前記トラップ本体に取り付けられたストリッパープレートを具えた請求項１０の装置。
【請求項１６】
前記ストリッパープレートは取り付けフランジと繋がる角度のあるストリッパーブレードを含む請求項１５の装置。
【請求項１７】
前記角度のあるブレードは、少なくとも１度の角度がある請求項１６の装置。
【請求項１８】
前記第１レールアセンブリーに分離可能な第１ゲートガイドと繋がる分離可能な第１ゲートレールを含む請求項１０の装置。
【請求項１９】
前記第１レールアセンブリーは第１ゲートガイドと一体の第１ゲートレールを含む請求項１０の装置。
【請求項２０】
第２レールアセンブリーに分離可能な第２ゲートガイドと繋がる分離可能な第２ゲートレールを含むもの請求項１０の装置。
【請求項２１】
第２レールアセンブリーは第２ゲートガイドと一体の第２ゲートレールを含む請求項１０の装置。
【請求項２２】
更にゲート本体に取り付けられているフィルムテンショニング装置を具えた請求項１０の装置。
【請求項２３】
イメージアパーチャが形成されるとともに、第１および第２レールアセンブリーが取り付けられているゲート本体であって、
前記第１レールアセンブリーが第１ゲートガイドと繋がる第１ゲートレールを含み、
前記第２レールアセンブリーが第２ゲートガイドと繋がる第２ゲートレールを含む、
当該ゲート本体と、
該ゲート本体に取り付けられたフィルムテンショニング装置であって、
変形可能な本体と、
該変形可能な本体と繋がる少なくとも２つのテンショニングローラーと、
前記少なくとも２つのテンショニングローラーと繋がるテンショニング装置と、
を含む当該フィルムテンショニング装置と、
具えた映写機用のフィルムゲートアセンブリー。
【請求項２４】
前記変形可能な本体がローラークレードルを持ち、該ローラークレードルが前記テンショニング装置および前記少なくとも２つのテンショニングローラーと繋がる請求項２３の装置。
【請求項２５】
前記少なくとも２つのテンショニングローラーが表面を傷つけない素材でなる請求項２３の装置。
【請求項２６】
前記少なくとも２つのテンショニングローラーがウレタンでなる請求項２３の装置。
【請求項２７】
イメージアパーチャが形成されるとともに、第１および第２レールアセンブリーが取り付けられているゲート本体を具え、
前記第１レールアセンブリーが第１ゲートガイドと繋がる第１ゲートレールを含み、
前記第２レールアセンブリーが第２ゲートガイドと繋がる第２ゲートレール、および深さ設定装置を含む、
映写機用のフィルムゲートアセンブリー。
【請求項２８】
前記設定装置はスクリューを含む請求項２７の装置。
【請求項２９】
変形可能な本体と、
該変形可能な本体と繋がる少なくとも２つのテンショニングローラーと、
該少なくとも２つのテンショニングローラーおよび前記変形可能な本体と繋がるテンショニング装置と、
を具えた映写機用のフィルムテンショニングアセンブリー。
【請求項３０】
前記変形可能な本体がアルミニウムでなる請求項２９の装置。
【請求項３１】
前記変形可能な本体がスチールでなる請求項２９の装置。
【請求項３２】
前記テンショニング装置バネである請求項２９の装置。
【請求項３３】
前記テンショニング装置が、前記変形可能な本体にテンショニングねじで取り付けられたるバネである請求項２９の装置。
【請求項３４】
前記バネがテンショニングねじによって圧縮可能な請求項３３の装置。
【請求項３５】
前記フィルムテンショニングアセンブリーは更にローラークレードルを含み、該ローラークレードルが前記少なくとも２つのテンショニングローラーおよび前記テンショニング装置と繋がっており、前記ローラークレードルが前記変形可能な本体の上に配置可能である請求項２９の装置。
【請求項３６】
前記変形可能な本体は更に取り付け穴を含み、該取り付け穴が前記フィルムテンショニング装置をフィルムトラップ、フィルムゲート、またはその双方に取り付けるのに使用される請求項２９の装置。
【請求項３７】
前記取り付け穴が楕円形である請求項３６の装置。
【請求項３８】
前記少なくとも２つのテンショニングローラーが更にローラーホイールを含む請求項２９の装置。
【請求項３９】
前記ローラーが表面を傷つけない素材でなる請求項３８の装置。
【請求項４０】
前記ローラーホイールがウレタンである請求項３８の装置。
【請求項４１】
前記ローラーホイールが更にベアリングを含む請求項３８の装置。
【請求項４２】
イメージアパーチャが形成されるとともに第１および第２レールアセンブリーが取り付けられているトラップ本体を含むフィルムトラップと、
該トラップ本体に取り付け可能で、取り付けフランジと繋がる角度のあるストリッパーブレードを含むストリッパープレートと、
映写アパーチャが形成されるとともに第１および第２レールアセンブリーが配置されるゲート本体を含むフィルムゲートと、
前記ゲート本体に取り付け可能で、取り付け穴が形成されるとともにローラークレードルと繋がる変形可能な本体を含むフィルムテンショニング装置と、を具え、
該テンショニング装置は４つのテンショニングローラーおよびテンショニング装置に繋がり、該テンショニング装置がテンショニングねじに繋がり、前記テンショニング装置が前記ローラークレードルに与える張力は前記テンショニングねじを動かすことによって調整可能であり、更に、
前記フィルムトラップおよび前記フィルムゲートの間に配置されたフィルム移動チャネルであって、前記フィルムトラップが前記フィルムゲートに係合することで形成される当該フィルム移動チャネル、
を具えたフィルムトラップおよびゲートシステム映写機。
【請求項４３】
前記第１トラップレールアセンブリーは分離可能な第１トラップレールと分離可能な第２トラップガイドとを含み、前記第２トラップレールアセンブリーは分離可能な第２トラップレールと分離可能な第２ガイドとを含む請求項４２の装置。
【請求項４４】
前記第１トラップレールアセンブリーが第１トラップガイドと一体の第１トラップレールを含み、前記第２トラップレールが前記第２トラップガイドと一体になっている請求項４２の装置。
【請求項４５】
前記第１ゲートレールアセンブリーは分離可能な第１ゲートレールと分離可能な第２ゲートガイドとを含み、前記第２ゲートレールアセンブリーが分離可能な第２ゲートレールと分離可能な第２ガイドとを含む請求項４２の装置。
【請求項４６】
前記第２ゲートレールアセンブリーは第１ゲートガイドと一体の第１ゲートレールを含み、前記第２ゲートレールは前記第２ゲートレールと一体になっている請求項４２の装置。
【請求項４７】
第１トラップガイドと結合されている第１トラップレールを含む第１トラップレールアセンブリーと、第２トラップガイドと結合されている第２トラップレールを含む第２トラップレールアセンブリーとを持つフィルムトラップと、
第１ゲートガイドと結合されている第１ゲートレールを含む第１ゲートレールアセンブリーと、第２ゲートガイドと結合されている第２ゲートレールを含む第２ゲートレールアセンブリーとを持つフィルムゲートと、を具え、
前記フィルムトラップレールの上に映画のフィルムが位置づけられるとともに、前記フィルムトラップレールアセンブリーが前記ゲートレールアセンブリーを受容し、
前記第１トラップレールと前記第１ゲートレールとの間および、前記第２トラップレールと前記第２ゲートレールとの間には、表面が接触しないようにされた空間があり、前記対向するレール間のフィルムが通過する部分が前記フィルムに対し十分なクリアランスを提供することで前記空間を自由に通過できるようにした、
映写機用のフィルムトラップおよびゲートアセンブリー。
【請求項４８】
映写機用のストリッパープレートを含み、
ストリッパーブレードと、
取り付けフランジと、を具え、
前記ストリッパーブレードが角度を持って付着フランジに取り付けられ、
前記取り付けフランジおよびストリッパーブレードが前記トラップに貼着されている、
請求項４７に記載のフィルムトラップおよびゲートアセンブリー。
【請求項４９】
前記角度が少なくとも１度である請求項４８の装置。
【請求項５０】
光源と、
映画のフィルムの一部と係合して前記フィルムを前記光源の前で移動させることが可能なフィルム移動装置と、
前記フィルムの部分を受容可能で、第１部材および第２部材で形成されるフィルム移動チャネル順路を含むフィルムトラップおよびゲートアセンブリーと、を具え、
前記フィルム移動チャネルは厚さｔおよび幅ｗを有し、ｔが映画フィルムの厚さより大で、ｗが前記映画フィルムの幅より大であり、
前記フィルムトラップは間隔をおいた第１および第２フィルムトラップレールを有し、前記フィルムゲートは間隔をおいた第１および第２フィルムゲートレールを有し、前記第１トラップレールと前記第１ゲートレールとが互いに対向し、前記第２トラップレールと前記第２ゲートレールとが互いに対向し、
前記第１トラップレールと前記第１ゲートレールとの空間および、前記第２トラップレールと前記第２ゲートレールとの空間は、表面が接触しないようにされており、更に
映写面にイメージを映写可能なレンズシステム、を具えた映写機。
【請求項５１】
フィルムを映写機で進行させる方法であって、
映写機を用意し、
該映写機内にフィルムを配置し、フィルムトラップとフィルムゲートとで前記フィルム移動チャネルを形成して前記フィルムを前記フィルム移動チャネル内に位置づけ、
間隔をおいた前記トラップのレールと、対向して間隔をおいた前記ゲートのレールとの間に、長手方向に沿って対向する表面が互いに接触しないように空間を設定することで、前記対向するレール表面間を通るフィルムのそれぞれ対向する表面部分を受容するための通路を形成し、それによって十分なクリアランスを提供することで前記フィルムが前記通を自由に通過できるようにし、
前記フィルムをフィルムドライブシステムに取り付け、
フィルムトラップ、フィルムゲート、またはその双方と断続的に接触させながら、前記フィルムを前記フィルム移動チャネルを通って自由に移動させる、
方法。
【請求項５２】
前記フィルム移動チャネルは、前記フィルムゲートに配置されているゲートレールアセンブリと係合する前記フィルムトラップに配置されているトラップレールアセンブリーによって形成されている請求項５１の方法。
【請求項５３】
更に前記フィルムをフィルムテンショニング装置に係合させる請求項５１の方法。
【請求項５４】
更に前記フィルムにかかる張力を増加するため前記フィルムテンショニング装置を調整する請求項５３の方法。
【請求項５５】
更に前記フィルムにかかる張力を減少するため前記フィルムテンショニング装置を調整する請求項５４の方法。
【請求項５６】
前記チャネルを通るフィルム移動には、選択された向きに従った、前進下方へのフィルム移動と後退上方へのフィルム移動とが可能である請求項５１の方法。
【請求項５７】
平坦な表面、該表面に形成されたイメージアパーチャを有するとともに、該イメージアパーチャのいずれかの側に対して配された第１および第２レールアセンブリを有するトラップ本体と、
該トラップ本体に取り付け可能なストリッパープレートとを具え、
該ストリッパープレートは前記トラップ本体の前記表面の端部と前記ストリッパープレートとの間に連続した接触面を有し、
前記トラップ本体および前記ストリッパープレートは概して垂直方向に並んでいる、
映写機用のフィルムトラップアセンブリー。
【請求項５８】
前記ストリッパープレートは取り付けフランジに取り付けられ、前記ストリッパープレートの表面が前記トラップ本体に対して少なくとも１度の角度をなしている請求項５７のトラップアセンブリー。
【請求項５９】
フィルムを映写機で進行させる方法であって、
映写機を用意し、
フィルムを前記映写機内に配置し、
フィルムトラップとフィルムゲートとでフィルム移動チャネルを形成し、
前記フィルムを前記フィルム移動チャネル内に位置づけ、ここで前記トラップは平坦な表面、該表面に形成されたイメージアパーチャをもつトラップ本体および該トラップ本体に取り付け可能なストリッパープレートを有し、該ストリッパープレートは前記トラップ本体の前記表面の端部と前記ストリッパープレートとの間に連続した接触面を有しており、
前記フィルムをフィルムドライブシステムに取り付け、
前記フィルムをフィルムトラップ、フィルムゲート、またはその双方と断続的に接触させながらフィルム移動チャネル通して移動させる、
方法。
【請求項６０】
前記チャネルを通るフィルムの進行には、選択された向きに従った、前進下方へのフィルム移動と後退上方へのフィルム移動とが可能である請求項５９の方法。
【請求項６１】
前記ストリッパープレートは取り付けフランジに取り付けられ、前記ストリッパープレートの表面が前記トラップ本体に対して少なくとも１度の角度をなしている請求項５９の方法。
【手続補正２】
【補正対象書類名】図面
【補正対象項目名】図１
【補正方法】変更
【補正の内容】
【図１】
2004526211.tif 000070
【手続補正３】
【補正対象書類名】図面
【補正対象項目名】図２
【補正方法】変更
【補正の内容】
【図２】
2004526211.tif 000071
【国際調査報告】
2004526211.tif 000072
2004526211.tif 000073
2004526211.tif 000074
2004526211.tif 000075
2004526211.tif 000076